(57)【特許請求の範囲】
【請求項１】
室外吸込口と室内吐出口とを連通する給気風路と、室内吸込口と室外吐出口とを連通する排気風路と、給気風路または排気風路に給気流または排気流を発生させる送風機とを備えた空調換気扇において、
隣接して開口する給気風路の室外吸込口及び排気風路の室外吐出口にそれぞれ対応して同一平面上に設けられ、互いに逆方向に直線スライドして、前記室外吸込口及び前記室外吐出口を開閉する第１及び第２のシャッターと、
前記第１及び第２のシャッターを開閉動作させる駆動機構とを備えた
ことを特徴とする空調換気扇。
【請求項２】
前記室外吸込口及び室外吐出口を前記直線スライド方向と異なる方向が長手方向となるよう形成したことを特徴とする請求項１に記載の空調換気扇。
【請求項３】
前記駆動機構は回転運動を直線スライド運動に変換する変換手段を介在させたことを特徴とする請求項１または２に記載の空調換気扇。
【請求項４】
前記第１及び第２のシャッターとレバーを介して連結され、給気風路の室内吐出口及び排気風路の室内吸込口を前記シャッターと連動開閉する室内側シャッターと、
手動による回転運動によって前記シャッターを開閉動作させる駆動機構とを備えたことを特徴とする請求項１から３のいずれか１項に記載の空調換気扇。
【請求項５】
前記駆動機構は、手動によって操作される引き紐と、この引き紐によって回転運動する回転機構とを備えたことを特徴とする請求項４に記載の空調換気扇。
【請求項６】
前記第１及び第２のシャッター開閉時の前記駆動機構の動作に機械的に連動して入り切りする送風機用スイッチを備えたことを特徴とする請求項４または５に記載の空調換気扇。
【請求項７】
前記送風機用スイッチを密閉スイッチにしたことを特徴とする請求項６に記載の空調換気扇。
【請求項８】
前記駆動機構と送風機用スイッチとを一つの箱体内に構成したことを特徴とする請求項６または７に記載の空調換気扇。
【請求項９】
前記第１及び第２のシャッターと前記駆動機構とを連動させる歯車および該歯車に歯合する歯形と、該歯形列の一側の側面を全長にわたり覆うように設けられ前記歯車と前記歯形とを所定の位置で組み合わせ可能にするようにその一部が前記歯形形状に合わせて削除されているカバーとを備えたことを特徴とする請求項４から８のいずれか１項に記載の空調換気扇。
【発明の詳細な説明】
【０００１】
【発明の属する技術分野】
本発明は、室内空気と室外空気とで互いの熱エネルギーを交換しながら吸・排気する熱交換気装置に関するものである。
【０００２】
【従来の技術】
図１３は例えば特願平１１−１８１４８２号に記載された従来の熱交換気装置を示す平面図、図１４は図１３を室内側から見た正面図、図１５はシャッタ開時状態を示す図である。これらの図において、その外筐は本体１と前パネル２とから構成され、前パネル２は本体１の前面側に取り付けられている。本体１の後面１ａには室内空気を室外へ排出する室外吐出口３が形成され、前パネル２には室内空気を吸込む室内吸込口４が形成されている。これら室内吸込口４と室外吐出口３との間に、熱交換器５とモーター６により駆動される排気ファン７ａを有する排気送風機７とを備えた排気風路８が形成されている。
【０００３】
また、本体１の後面１ａには室外空気を吸込む室外吸込口９が形成され、前パネル２には室外空気を室内に吹出す室内吐出口１０が形成されている。これら室外吸込口９と室内吐出口１０との間に、熱交換器５とモーター６により駆動される給気ファン１１ａを有する給気送風機１１とを備えた給気風路１２が形成されている。
【０００４】
本体１には室外吐出口３を開閉する排気側シャッター１３及び室外吸込口９を開閉する給気側シャッター１４を備えている。排気側シャッター１３は直線状にスライドして開閉するシャッター機構であり、給気側シャッター１４は上部の軸を中心に回動して開閉するシャッター機構である。
本体１の前側には室内吸込口４と室内吐出口１０を有し、本体１に着脱可能な前パネル２が取り付けられている。この前パネル２には、室内に向かって平行に移動する可動パネル１５が設けられていて、室内吸込口４及び室内吐出口１０を開閉する。
【０００５】
可動パネル１５は排気側シャッター１３及び給気側シャッター１４に連動していて、排気側シャッター１３及び給気側シャッター１４が開くと可動パネル１５も開き、排気側シャッター１３及び給気側シャッター１４が閉じると可動パネル１５も閉じる。
排気側シャッター１３及び給気側シャッター１４は本体１に取り付けられたリバーシブルモーター１６によって動作する。
リバーシブルモーター１６と、排気送風機７および給気送風機１１を駆動するモーター６との動作は、回路ＢＯＸ１７内の電気回路によって制御される。
【０００６】
図１６は他の実施の形態を示す正面図である。図において、１８は排気側シャッター１３を手動で開閉するためのつまみである。
この実施の形態においては、つまみ１８を手動により横方向にスライドさせることで、排気側シャッター１３を開閉することができる。
【０００７】
【発明が解決しようとする課題】
従来の空調換気扇は上記のように構成されていたため、回動式のシャッターのストロークによるスペースが上下左右方向に必要になり、シャッタースペースが大きくなるという課題があった。このためシャッターの回動範囲はできるだけ小さい方がよく、その結果、室外吸込口９及び室内吐出口１０をできるだけ小さくする必要がある。室外吸込口９及び室内吐出口１０が小さくなるということは、壁穴との位置合わせ精度がより厳しく要求されることになり、設置性が悪いという問題が発生する。
【０００８】
また、シャッターを動作させる機構と送風機の動作回路とが別である為、製品組立の際にシャッターの動作機構と回路ＢＯＸ１７との取付作業のほかにリバーシブルモーター１６の取付作業と、リバーシブルモーター１６から回路ＢＯＸ１７までの配線等が必要になり、組立性が悪いという課題があった。
【０００９】
また、図１６に示す機種においては、リバーシブルモーター１６に代わり、つまみ１８を人が操作することにより、シャッターを開閉する。
しかしながら、本体１が高所に取り付けられているような場合には、つまみ１８を左右にスライドさせることは操作しにくく、不便であるという問題があった。特に空調換気扇の場合、室内へ風が吹出すため、低位置に設置すると床面の埃を舞い上げて空調環境を損ねる可能性があることから、一般に室内の高所に設置されることが多い。
【００１０】
また、運転・停止の際にはシャッター開閉のつまみ操作と、送風機運転・停止のスイッチ操作の２つの操作が必要であるという煩わしさがあった。
【００１１】
この発明は係る問題点を解決するためになされたもので、シャッターやまたはその駆動機構を工夫して、小型化が図れる或いは設置性、操作性または組立性の良い空調換気扇を得ることを目的とする。
【００１２】
【課題を解決するための手段】
この発明に係る空調換気扇は、室外吸込口と室内吐出口とを連通する給気風路と、室内吸込口と室外吐出口とを連通する排気風路と、給気風路または排気風路に給気流または排気流を発生させる送風機とを備えた空調換気扇において、隣接して開口する給気風路の室外吸込口及び排気風路の室外吐出口にそれぞれ対応して同一平面上に設けられ、互いに逆方向に直線スライドして、前記室外吸込口及び前記室外吐出口を開閉する第１及び第２のシャッターと、前記第１及び第２のシャッターを開閉動作させる駆動機構とを備えたものである。
【００１３】
また、前記室外吸込口及び室外吐出口を前記直線スライド方向と異なる方向が長手方向となるよう形成したものである。
【００１５】
また、前記駆動機構は回転運動を直線スライド運動に変換する変換手段を介在させたものである。
【００１６】
また、前記第１及び第２のシャッターとレバーを介して連結され、給気風路の室内吐出口及び排気風路の室内吸込口を前記シャッターと連動開閉する室内側シャッターと、手動による回転運動によって前記シャッターを開閉動作させる駆動機構とを備えたものである。
【００１７】
また、前記駆動機構は、手動によって操作される引き紐と、この引き紐によって回転運動する回転機構とを備えたものである。
【００１８】
また、前記第１及び第２のシャッター開閉時の前記駆動機構の動作に機械的に連動して入り切りする送風機用スイッチを備えたものである。
【００１９】
また、前記送風機用スイッチを密閉スイッチにしたものである。
【００２０】
また、前記駆動機構と送風機用スイッチとを一つの箱体内に構成したものである。
【００２１】
また、前記第１及び第２のシャッターと前記駆動機構とを連動させる歯車および該歯車に歯合する歯形と、該歯形列の一側の側面を全長にわたり覆うように設けられ前記歯車と前記歯形とを所定の位置で組み合わせ可能にするようにその一部が前記歯形形状に合わせて削除されているカバーとを備えたものである。
【００２２】
【発明の実施の形態】
以下、この発明の実施の形態を図について説明する。図１は本発明の空調換気扇の取付け状態を示す配置図で、天井、壁及び床で囲まれた居室内の高所部に空調換気扇が設置されている。本実施の形態では室内と室外とを仕切る壁面であって、壁と壁とによって形成されるコーナー部付近の窓よりも高所に空調換気扇が設置されている。この空調換気扇が設置されている居室内には、図示しない冷・暖・除湿運転可能な空気調和機が設置され、居室内を室外とは異なる空調環境に空気調和可能にしている。
【００２３】
図２は図１の空調換気扇におけるシャッタ開時の状態を示す上面断面図、図３は図２の後面付近のシャッタ構造を示す縦断面図、図４は図１の空調換気扇におけるシャッタ閉時の状態を示す上面断面図、図５は図４の後面付近のシャッタ構造を示す縦断面図である。図において、外気と室内の空気との間で熱交換をしながら換気を行う空調換気扇の外筐は、後面１ａが壁面に当接する本体１と、この本体１の前面側に取り付けられる前パネル２とから構成されている。
【００２４】
本体１の後面１ａには室内空気を室外へ排出するための室外吐出口３が形成され、前パネル２には室内空気を吸込む室内吸込口４が形成されている。これら室内吸込口４と室外吐出口３との間には、熱交換器５と、モーター６により駆動される排気ファン７aを有する排気送風機７とを備えた排気風路８が形成されている。
【００２５】
また、本体１の後面１aには室外空気を吸込む室外吸込口９が形成され、前パネル２には室外空気を室内に吹出す室内吐出口１０が形成されている。これら室外吸込口９と室内吐出口１０との間には、熱交換器５とモーター６により駆動される給気ファン１１ａを有する給気送風機１１とを備えた給気風路１２が形成されている。室外吐出口３及び室外吸込口９は合わせて円形状を成す半円形状をそれぞれ上下方向に伸ばしたような長穴形状に形成されている。これに対し壁穴は略真円形状である。そして、室外吐出口３及び室外吸込口９は壁穴以下を直径とするパイプを介して室外側のフード（給排気トップ）と接続される。
【００２６】
排気風路８と給気風路１２とは熱交換器５にて交差し、両風路間で熱交換を行う。熱交換器５は排気風路８と給気風路１２との間で熱のみを交換するものであっても良いし、熱と湿度を交換するものであっても良い。
【００２７】
本体１には室外吐出口３を開閉する排気側シャッター１３と、室外吸込口９を開閉する給気側シャッター１４とを備えている。排気側シャッター１３及び給気側シャッター１４は後述する歯車１９によって駆動され、水平方向に直線にスライドする。このように排気側シャッター１３及び給気側シャッター１４は直線にスライドするので、室外吐出口３と室外吸込口９の開口の幅だけ動いて開口を開閉する。そして、室外吐出口３と室外吸込口９の両側にはそれぞれの開口の幅だけ、開時のシャッターを収納する幅が必要になる。
【００２８】
排気側シャッター１３は室外吐出口３を開閉する平面部１３aと、平面部１３ａ下部より水平方向に延設された先端側に形成され、シャッターを駆動する歯車１９とかみ合う歯形１３bとを有している。
【００２９】
給気側シャッター１４は、室外吸込口９を開閉する平面部１４ａと、平面部１４ａ下部より水平方向に延設された先端側に形成され、シャッターを駆動する歯車１９とかみ合う歯形１４bと、平面部１４ａ下部に形成され、後述するレバー２０を動作させる凸部１４cとを有している。
そして、歯形１３ｂ及び歯形１４ｂは歯車１９のそれぞれ下側、上側にて歯車に歯合することで、歯車１９の回転によりそれぞれ逆方向にシャッターを移動させる。
【００３０】
図６は歯形１３b及び歯形１４bを示す斜視図である。図において、歯形１３b及び歯形１４bには、本体１に取り付けた際に一側に歯形を覆うような歯形カバー１３ｃ及び歯形カバー１４ｄがあり、これら歯形カバー１３ｃ及び１４ｄには排気側シャッター１３及び給気側シャッター１４が本体１の室外吐出口３及び室外吸込口９を完全に閉じた状態のときのみ歯車１９を歯形１３ｂ及び歯形１４ｂにはめ込むことができるよう、切れ目１３ｅ、１４eがある。
【００３１】
切れ目１３ｅ、１４eの大きさは、歯形１３bと歯形１４bがその歯形の１ピッチ分ずれては歯車１９が歯形カバー１３ｃ及び歯形カバー１４ｄに邪魔されてはまらない大きさである。
歯形カバー１３ｃ及び歯形カバー１４ｄにより、製品組立の際に歯車１９を歯形にはめこむときの排気側シャッター１３及び給気側シャッター１４の位置を一つに定めている。
【００３２】
また、歯形カバー１３c及び歯形カバー１４dの切れ目の位置は、排気側シャッター１３及び給気側シャッター１４が完全に閉じた状態のときでなくても、任意の位置に設定して良い。このようにすることで、歯車１９と歯形１３b、１４bは所定の位置でしか取り付けられないので、組立時には歯合させるだけでシャッター１３、１４が所定の位置に決まり、組立性が向上する。
【００３３】
図２に示すように本体１の前側には室内空気を吸い込む室内吸込口４と室外空気を吹出す室内吐出口１０なる開口部を有する前パネル２が取り付けられ、この前パネル２の開口部には、室内に向かって平行に移動する可動パネル１５が設けられて、室内吐出口１０と室内吸込口４を開閉する。
【００３４】
レバー２０は一側に給気側シャッター１４の凸部１４cに連結する連結穴２０aを、他側に可動パネル１５の連動部２１に動力を伝える作用部２０bを有しており、途中部の支点２０ｃで本体１に対して回転可能に固定されている。可動パネルの連動部２１は、後面側に突出した２つの突出部によって間に窪み２１ａを形成し、レバー２０の作用部２０ｂを収納している。そして、作用部２０ｂが給気側シャッター１４の開閉に連動することにより、窪み２１ａの左右何れかの突出部を押して連動部２１を左右方向に移動させ、この左右方向の移動を前後方向の移動に変換することで、可動パネル１５を前後に開閉動作させる構造となっている。
【００３５】
尚、給気側シャッター１４の凸部１４cとレバー２０の連結穴２０aとは、それぞれ逆で、給気側シャッター１４に連結穴、レバー２０に凸部であっても良い。また、連結穴２０aは、穴でなくても、Ｕ字型であっても良い。
【００３６】
可動パネル１５の開動作は、給気側シャッター１４の開方向への移動により、レバー２０が支点２０cを中心に回転し、可動パネル１５の連動部２１の窪み２１aに作用し、連動部２１を移動させることにより、図２のように可動パネル１５が前方へ移動し、室内吸込口４及び室内吐出口１０を開放する。可動パネル１５の閉動作も同様の作用により、図４のように排気側シャッター１３及び給気側シャッター１４が閉じると可動パネル１５も閉じる。このようにして、排気側シャッター１３、給気側シャッター１４及び可動パネル１５は同時開閉する機構となっている。
【００３７】
尚、凸部１４cは給気側シャッター１４ではなく、排気側シャッター１３にあってレバー２０を動作させてもよい。
【００３８】
本体１内の後面１ａには、ＢＯＸ２２が取り付けられておりそのＢＯＸ２２には排気側シャッター１３及び給気側シャッター１４を動作させる歯車１９と、この歯車１９と同軸で連動するプーリー２３と、このプーリー２３に装着され、プーリー２３を回転させる引き紐２４からなる駆動手段がついている。歯車１９および歯形１３ｂ、１４ｂは引き紐２４による引っ張り動作と排気側シャッター１３及び給気側シャッター１４の直線スライド動作との間に介在して、引き紐２４操作によるプーリー２３及び歯車１９の回転運動を排気側シャッター１３及び給気側シャッター１４の直線運動に変換する変換手段である。
【００３９】
図７、図８はＢＯＸ２２の一部を省いて内部の駆動手段の様子がわかるよう示した斜視図、図９は同正面図である。これらの図に示すようにＢＯＸ２２の内部には外部の歯車１９と同軸でプーリー２３がついており、プーリー２３には、２本の溝が設けられており、この溝に互いに逆方向に巻かれた２本の引き紐２４ａ、２４ｂが本体の外まで引き出されている。
【００４０】
図７のようにこの引き紐２４の一方（例えば２４ｂ）を引くことにより、プーリー２３が回転し、同時に他方の紐（同２４ａ）をプーリー２３に巻き取る。そして、プーリー２３及び歯車１９が矢印のように反時計周りに回転することで、図４、図５のように排気側シャッター１３及び給気側シャッター１４を閉方向に移動させる。
【００４１】
また、図８のように、もう一方の紐２４ａを引くことによりにプーリー２３を逆方向に回転させることができる。そして、プーリー２３及び歯車１９が矢印のように時計周りに回転することで、図２、図３のように排気側シャッター１３及び給気側シャッター１４を開方向に移動させる。
このように，2本の引き紐２４の操作で、プーリー２３の回転により歯車１９が回転し、給気側シャッター１４及び排気側シャッター１３が直線にスライドして室外吐出口３と室外吸込口９の開口の開閉を行うことができる。
【００４２】
図９に示すように、プーリー２３の脇にはリミットスイッチ２５がＢＯＸ２２に固定されている。
プーリー２３には、リミットスイッチ２５を動作させる為の突起部２３aが突設されており、プーリー２３が回転することによりこの突起部２３ａが移動し、一端がリミットスイッチ２５に当接してＯＮ・ＯＦＦする。
更に，この突起部２３ａの他端がＢＯＸ２２の出っ張り２２ａに引っ掛かることにより、プーリー２３の回転する範囲を限定している。
尚、出っ張り２２aに引っ掛かる突起部は、リミットスイッチ２５を動作させる突起部２３aを兼ねていなくても、プーリー２３の別の箇所についていても良い。
【００４３】
リミットスイッチ２５はモーター６の電源スイッチを兼ねているため、送風機の動作を入・切することができる。
また、前記リミットスイッチの動作により、給気・排気送風機の動力源のＯＮ・ＯＦＦではなく、Ｈｉ・Ｌｏなど風量の切替を行う構造でも良い。
また、操作部は引き紐ではなく、１本または２本の操作棒を用いることによりプーリーが回転する構造でも良い。
【００４４】
このような構成のため、一方の引き紐を引くことにより、同時に排気側シャッター１３と給気側シャッター１４と可動パネル１５が開き、送風機が動作し、もう一方の紐を引くことにより、同時に排気側シャッター１３と給気側シャッター１４と可動パネル１５が閉じ、送風機が停止する。
図１０はシャッター開時の風の流れを示す平面断面図である。
【００４５】
上記のように構成された空調換気扇では、排気側シャッター１３及び給気側シャッター１４が共に同一な水平方向を開閉時のシャッター移動方向としている。このため、シャッター移動のために必要なスペースは水平方向となるため、上下方向に余分なスペースを確保する必要がない。従来のようにシャッターが回転移動すると、上下、左右方向にシャッター移動のためのスペースが必要であり、しかも上下方向、左右方向は回転運動をそれぞれの方向についての移動距離としてみた場合の最大移動距離分だけ外筐寸法が必要になることから、装置全体の大型化を招くことになるが、本実施の形態のようにすることで、装置全体を大型化しないで済む。
【００４６】
また、直線スライドにより、シャッターのスライド距離を短くするためには、室外吐出口３及び室外吸込口９のスライド方向の幅だけが小さければ良い。このため、シャッタースライド方向と垂直方向となる室外吐出口３及び室外吸込口９の上下方向の穴径については、多少大きくてもシャッター開閉距離に影響はない。従って、図３のように室外吐出口３及び室外吸込口９を上下方向に長い穴形状とすれば、円形の壁穴に対し、上下方向の合わせ位置が多少ずれていてもそのずれをカバーすることができ、据付性の良い空調換気扇にすることができる。
【００４７】
その際、シャッタースライド方向と室外吐出口３及び室外吸込口９の長穴方向とが異なる方向なので、シャッターの移動スペースを確保するための左右寸法の方向と長穴により拡大された上下寸法の方向とが一致しないから、極端に特定の方向の寸法が大きくなるようなことがない。
【００４８】
排気側シャッター１３及び給気側シャッター１４は共に歯車１９、プーリー２３を介した引き紐２４による回転運動を直線運動に変換しているため、シャッター開閉操作に際しては、動作が滑らかで、トルクの力で軽く動かすことができる操作性の良いものにできる。シャッターの開閉動作及び引き紐操作は共に直線運動であるが、このように回転運動を介在させることで、操作性が向上し、また、シャッター１３、１４の水平方向の移動と引き紐２４の垂直方向の移動とを容易に伝達することが可能になる。
【００４９】
引き紐２４は２本の紐２４ａ及び２４ｂによって、操作者は常に紐を下方へ引っ張る作業だけとなる。従って、高所部に設置される空調換気扇の操作としては非常に操作性が良いものとなる。また、紐の長さを調節することで、身長の異なる操作者が引き紐を無理のない位置に容易に設定できる。
また、定位置で回転する歯車１９やプーリー２３のような回転運動を駆動機構に取り込むことで、駆動機構を小型化できる。
さらに排気側シャッター１３と給気側シャッター１４とを別々のシャッターにすることで、各シャッターが軽くなり、より円滑に開閉する。
【００５０】
リミットスイッチ２５はプーリー２３に突設された突起部２３ａが当接することで送風機がＯＮ・ＯＦＦされる。従って、従来のようにシャッター機構と送風機機構とを電気的に接続する必要がないから、組立時における、これら結線作業が不要となり、組立性の良い空調換気扇にできる。さらに、スイッチを密閉スイッチにすれば、結線作業がないことから、組立時から湿気による影響を受けにくい構造にでき、品質の向上が図れる。また電気系統を容易に耐湿構造にできるから、熱湿交換型の熱交換器を搭載した空調換気扇や、多湿環境で使用する空調換気扇に好適である。
【００５１】
図１１、図１２は他の実施の形態を示しており、引き紐とプーリーの代わりに、排気側シャッター１３または給気側シャッター１４に付けられたつまみをスライドさせて、歯車１９を介して他のシャッターを開閉させても良い。
また、リミットスイッチ２５はプーリー２３の突起部２３aによって動作する構造でなくても、図１１、図１２のように排気側シャッター１３または給気側シャッター１４によって動作する構造でも良い。
【００５２】
【発明の効果】
以上説明したように、室外吸込口及び室外吐出口を開閉するシャッターが直線にスライドするので、ストロークを開口の幅より若干大きくするだけでよくなり、ストローク幅が小さく、そのための移動スペースが小さくできる。また、室外吐出口と室外吸込口をシャッターのスライド方向と異なる方向に向かって縦長に大きくできるので、壁のパイプ穴との位置合わせがしやすい。また、シャッターの駆動機構に回転運動を介在させることで、動作が円滑になる。
【００５３】
また、手動による回転運動によってシャッターを開閉するので、トルクの力で円滑で操作性の良いシャッター開閉ができる。また、引き紐の操作により、高所部に取り付けられた空調換気扇のシャッター開閉操作が容易に行なえる。また、この引き紐操作によってシャッター及び送風機の動作を切換えることができるため、運転の際操作が簡単になる。また、送風機スイッチを密閉スイッチにすることで耐湿構造にできる。また、シャッター駆動機構と送風機用スイッチとを一つの箱体内に構成することで、組立性が向上する。また、シャッター機構と駆動機構とを連動させる歯車および歯形を所定の位置で組み合わせ可能にすることで、組立性が向上する。
【図面の簡単な説明】
【図１】  この発明の実施の形態における空調換気扇の設置状態を示す斜視図である。
【図２】  この発明の実施の形態における空調換気扇のシャッター開時の上面断面図である。
【図３】  この発明の実施の形態における空調換気扇のシャッター開時の後面側縦断面図である。
【図４】  この発明の実施の形態における空調換気扇のシャッター閉時の上面断面図である。
【図５】  この発明の実施の形態における空調換気扇のシャッター閉時の後面側縦断面図である。
【図６】  この発明の実施の形態におけるシャッターの歯形及び歯形カバー部分の斜視図である。
【図７】  この発明の実施の形態における空調換気扇の運転停止時のＢＯＸの一部断面斜視図である。
【図８】  この発明の実施の形態における空調換気扇の運転開始時のＢＯＸの一部断面斜視図である。
【図９】  この発明の実施の形態における空調換気扇のＢＯＸの縦断面図である。
【図１０】  この発明の実施の形態における空調換気扇の空調換気運転時における風の流れを示す平面断面図である。
【図１１】  この発明の他の実施の形態におけるつまみ操作の熱交換気装置のシャッター開時の後面側縦断面図である。
【図１２】  この発明の他の実施の形態におけるつまみ操作の熱交換気装置のシャッター閉時の後面側縦断面図である。
【図１３】  従来の空調換気扇の上面図である。
【図１４】  従来の空調換気扇の正面図である。
【図１５】  従来の空調換気扇のシャッター開時の後面側縦断面図である。
【図１６】  従来のシャッター手動タイプの空調換気扇の正面図である。
【符号の説明】
１本体、  １a  本体後面、  ２  前パネル、  ３  室外吐出口、  ４  室内吸込口、  ５  熱交換器、  ６  モーター、  ７  排気送風機、  ７a  排気ファン、  ８  排気風路、  ９  室外吸込口、  １０  室内吐出口、  １１  給気送風機、  １１a  給気ファン、  １２  給気風路、  １３  排気側シャッター、  １３a  平面部、  １３b  歯形、  １３c  歯形カバー、  １３ｅ  切れ目、  １４  給気側シャッター、  １４a  平面部、  １４b  歯形、  １４c  凸部、  １４d  歯形カバー、  １４e切れ目  １５  可動パネル、  １６  リバーシブルモーター、  １７  回路ＢＯＸ、  １８  つまみ、  １９  歯車、  ２０レバー、  ２０a  連結穴、  ２０b  作用部、  ２０c  支点、  ２１  連動部、  ２１a  窪み、  ２２  ＢＯＸ、  ２２a  出っ張り、  ２３  プーリー、２３a  突起部、  ２４  引き紐、  ２５  リミットスイッチ、  ２６  操作つまみ。
【図１】
0003734677.tif 000002
【図２】
0003734677.tif 000003
【図３】
0003734677.tif 000004
【図４】
0003734677.tif 000005
【図５】
0003734677.tif 000006
【図６】
0003734677.tif 000007
【図７】
0003734677.tif 000008
【図８】
0003734677.tif 000009
【図９】
0003734677.tif 000010
【図１０】
0003734677.tif 000011
【図１１】
0003734677.tif 000012
【図１２】
0003734677.tif 000013
【図１３】
0003734677.tif 000014
【図１４】
0003734677.tif 000015
【図１５】
0003734677.tif 000016
【図１６】
0003734677.tif 000017